(57)【要約】【課題】室内空間を間仕切るだけでなく、収納としても利用可能であり、しかも収納として利用したときに棚板を安定して取り付けることができ、構造が簡単で見栄えが良好な可動間仕切り装置を提供する。【解決手段】この可動間仕切り装置は、複数の横溝３２・・を有する複数の間仕切り壁６・・を備え、これら間仕切り壁６・・を室内空間１を間仕切る間仕切り状態としたときに、隣接する間仕切り壁６・・の横溝３２・・が横方向に連続し、間仕切り壁６・・を収納利用状態としたときに、対向する間仕切り壁６・・の横溝３２・・に棚板１０の両側端部を差し込むことで、棚板１０を取り付けることができるようになっている。【選択図】図８
2009030276.tif 000002
【特許請求の範囲】
【請求項１】
室内空間（１）の天井面（２）に設けられた天井レール（３）と、前記室内空間（１）の床面（４）に設けられた床レール（５）と、これら天井レール（３）と床レール（５）との間に跨って取り付けられ、これら天井レール（３）及び床レール（５）に沿って走行可能且つ水平方向に回転可能とされた複数の間仕切り壁（６）・・とを備え、前記複数の間仕切り壁（６）・・は、壁体（７）表面に上下方向に間隔をあけて複数の横溝（３２）・・が夫々形成されていて、それら壁体（７）・・が前記天井レール（３）及び床レール（５）に沿うように並設されて前記室内空間（１）を間仕切る間仕切り状態と、少なくとも２枚の間仕切り壁（６）（６）の壁体（７）（７）が前記天井レール（３）及び床レール（５）からずれるようにして対向配置されて、それら壁体（７）（７）間を収納部（９）とした収納利用状態とに切換可能とされ、前記間仕切り状態において、隣接する壁体（７）・・の横溝（３２）・・が横方向に連続され、前記収納利用状態において、対向配置された壁体（７）（７）の横溝（３２）（３２）に棚板（１０）の両側端部を差し込むようにして、前記収納部（９）に前記棚板（１０）が取付可能とされたことを特徴とする可動間仕切り装置。
【請求項２】
前記収納利用状態において、対向配置された壁体（７）（７）間に跨るようにして、前記天井レール（３）及び床レール（５）に沿った別の間仕切り壁（６）の壁体（７）が配置されて、これら壁体（７）・・の横溝（３２）・・が略コ字状に連続され、この略コ字状の横溝（３２）・・に前記棚板（１０）の両側端部及び後端部を差し込むようにして、前記収納部（９）に前記棚板（１０）が取付可能とされた請求項１記載の可動間仕切り装置。
【請求項３】
前記間仕切り壁（６）・・における壁体（７）の正面側表面及び背面側表面に、前記複数の横溝（３２）・・が夫々形成され、その背面側表面の横溝（３２）・・が正面側表面の横溝（３２）・・の真裏に配置されている請求項１又は２記載の可動間仕切り装置。
【請求項４】
前記間仕切り壁（６）・・は、その壁体（７）の上端略中央に設けられて、前記天井レール（３）に対して係脱可能とされた上側の中央軸部材（１１）と、この上側の中央軸部材（１１）に対応して前記壁体（７）の下端略中央に設けられて、前記床レール（５）に対して係脱可能とされた下側の中央軸部材（１２）と、前記壁体（７）の上端端部に設けられて、前記天井レール（３）に対して係脱可能とされた上側の端部軸部材（１３）と、この上側の端部軸部材（１３）に対応して前記壁体（７）の下端端部に設けられて、前記床レール（５）に対して係脱可能とされた下側の端部軸部材（１４）とを備え、前記間仕切り壁（６）・・は、前記上下の中央軸部材（１１）（１２）を前記天井レール（３）と床レール（５）に係合するとともに、前記上下の端部軸部材（１３）（１４）を前記天井レール（３）と床レール（５）から抜き出し、前記上下の中央軸部材（１１）（１２）を中心として水平方向に回転可能とした第１回転姿勢と、前記上下の中央軸部材（１１）（１２）を前記天井レール（３）と床レール（５）から抜き出すとともに、前記上下の端部軸部材（１３）（１４）を前記天井レール（３）と床レール（５）に係合して、前記上下の端部軸部材（１３）（１４）を中心として水平方向に回転可能とした第２回転姿勢とに切換可能とされている請求項１乃至３のいずれかに記載の可動間仕切り装置。
【請求項５】
前記間仕切り壁（６）・・における壁体（７）の下端に、複数のキャスター（８）・・が設けられ、これらキャスター（８）・・は、前記壁体（７）の前記天井レール（３）及び床レール（５）に沿った回転位置において前記床レール（５）上を走行可能とされ、前記壁体（７）の前記天井レール（３）及び床レール（５）からずれた回転位置において床面（４）上を走行可能とされている請求項１乃至４のいずれかに記載の可動間仕切り装置。
【発明の詳細な説明】
【技術分野】
【０００１】
この発明は、主として住宅の室内空間を間仕切るとともに、収納としても利用することができる可動間仕切り装置に関する。
【背景技術】
【０００２】
住宅の長寿命化が重要視される近年では、構造躯体等の高耐久化とともに、室内空間を臨機応変に変化させて、居住者のライフスタイルやライフステージの変化に柔軟に対応できる内装システムが求められている。そして、そのような内装システムの構築化に際して、室内空間を使用状況に応じて間仕切り壁によって間仕切ることができる可動間仕切り装置が利用されている。
【０００３】
この種の可動間仕切り装置としては、複数の間仕切り壁を移動可能に設けて、室内空間を間仕切らないときには、複数の間仕切り壁を壁際に収容できるようにしたものが一般的である。しかしながら、このような可動間仕切り装置においては、室内空間を仕切るといった単独の機能しか有していないものがほとんどであって、機能性の向上が求められていた。
【０００４】
そこで、単に室内空間を間仕切るだけでなく、収納としても利用可能とした可動間仕切り装置が提案されている。例えば特許文献１には、複数の間仕切り壁を天井レール及び床レールに沿って走行可能且つ水平方向に回転可能に設けて、それら間仕切り壁に直接棚板等を取り付けたり、間仕切り壁を天井レールと床レールに対して直交するように対向配置させて、これら対向配置した間仕切り壁間に跨って棚板等を取り付けることができるようにした可動間仕切り装置が開示されている。
【０００５】
【特許文献１】特開２００４-１９３８８号公報
【発明の開示】
【発明が解決しようとする課題】
【０００６】
しかしながら、上記の可動間仕切り装置では、間仕切り壁の壁体表面に縦方向に沿った支柱を取り付けて、この支柱に水平方向の棚板の端部を引っ掛けることによって、棚板を取り付けている。このため、棚板を取り付けたときには、棚板と支柱が互いに直交して、棚板の端部が支柱に部分的に支持された状態となり、棚板の取付強度が弱くて安定性に問題があった。また、棚板を安定して取り付けるために、別途ダボ等を使用すると、それだけ部品点数が多くなって構造が複雑になるといった不具合があった。さらに、複数の間仕切り壁の壁体を天井レール及び床レールに沿うように並設して室内空間を間仕切ったときには、これら壁体表面に壁体とは異質の支柱が無造作に露出するため、見栄えが悪いといった問題も生じていた。
【０００７】
そこで、この発明は、上記の不具合を解消して、単に室内空間を間仕切るだけでなく、収納としても利用可能であり、しかも収納として利用したときに棚板を安定して取り付けることができ、構造が簡単で見栄えも良好な可動間仕切り装置の提供を目的とする。
【課題を解決するための手段】
【０００８】
上記課題を解決するため、室内空間１の天井面２に設けられた天井レール３と、前記室内空間１の床面４に設けられた床レール５と、これら天井レール３と床レール５との間に跨って取り付けられ、これら天井レール３及び床レール５に沿って走行可能且つ水平方向に回転可能とされた複数の間仕切り壁６・・とを備え、前記複数の間仕切り壁６・・は、壁体７表面に上下方向に間隔をあけて複数の横溝３２・・が夫々形成されていて、それら壁体７・・が前記天井レール３及び床レール５に沿うように並設されて前記室内空間１を間仕切る間仕切り状態と、少なくとも２枚の間仕切り壁６、６の壁体７、７が前記天井レール３及び床レール５からずれるようにして対向配置されて、それら壁体７、７間を収納部９とした収納利用状態とに切換可能とされ、前記間仕切り状態において、隣接する壁体７・・の横溝３２・・が横方向に連続され、前記収納利用状態において、対向配置された壁体７、７の横溝３２、３２に棚板１０の両側端部を差し込むようにして、前記収納部９に前記棚板１０が取付可能とされている。
【０００９】
また、前記収納利用状態において、対向配置された壁体７、７間に跨るようにして、前記天井レール３及び床レール５に沿った別の間仕切り壁６の壁体７が配置されて、これら壁体７・・の横溝３２・・が略コ字状に連続され、この略コ字状の横溝３２・・に前記棚板１０の両側端部及び後端部を差し込むようにして、前記収納部９に前記棚板１０が取付可能とされている。
【００１０】
さらに、前記間仕切り壁６・・における壁体７の正面側表面及び背面側表面に、前記複数の横溝３２・・が夫々形成され、その背面側表面の横溝３２・・が正面側表面の横溝３２・・の真裏に配置されている。
【００１１】
さらにまた、前記間仕切り壁６・・は、その壁体７の上端略中央に設けられて、前記天井レール３に対して係脱可能とされた上側の中央軸部材１１と、この上側の中央軸部材１１に対応して前記壁体７の下端略中央に設けられて、前記床レール５に対して係脱可能とされた下側の中央軸部材１２と、前記壁体７の上端端部に設けられて、前記天井レール３に対して係脱可能とされた上側の端部軸部材１３と、この上側の端部軸部材１３に対応して前記壁体７の下端端部に設けられて、前記床レール５に対して係脱可能とされた下側の端部軸部材１４とを備え、前記間仕切り壁６・・は、前記上下の中央軸部材１１、１２を前記天井レール３と床レール５に係合するとともに、前記上下の端部軸部材１３、１４を前記天井レール３と床レール５から抜き出し、前記上下の中央軸部材１１、１２を中心として水平方向に回転可能とした第１回転姿勢と、前記上下の中央軸部材１１、１２を前記天井レール３と床レール５から抜き出すとともに、前記上下の端部軸部材１３、１４を前記天井レール３と床レール５に係合して、前記上下の端部軸部材１３、１４を中心として水平方向に回転可能とした第２回転姿勢とに切換可能とされている。
【００１２】
また、前記間仕切り壁６・・における壁体７の下端に、複数のキャスター８・・が設けられ、これらキャスター８・・は、前記壁体７の前記天井レール３及び床レール５に沿った回転位置において前記床レール５上を走行可能とされ、前記壁体７の前記天井レール３及び床レール５からずれた回転位置において床面４上を走行可能とされている。
【発明の効果】
【００１３】
この発明の可動間仕切り装置においては、複数の間仕切り壁が間仕切り状態と収納利用状態に切換可能とされているため、単に室内空間を間仕切るだけでなく、収納としても利用でき、機能性の向上を図ることができる。しかも、収納利用状態において、対向配置された壁体の横溝に水平方向の棚板の両側端部を差し込むことにより、棚板が取付可能になっている。このため、棚板を取り付けたときには、棚板の両側端部が広範囲に亘って支持された状態となり、別途ダボ等を使用しなくても、棚板を安定して取り付けることができ、構造も簡単になる。さらに、間仕切り状態において、隣接する壁体の横溝が横方向に連続して、これら壁体の表面全体に規則的な縞模様を形成することになり、見栄えも向上する。
【００１４】
また、収納利用状態において、対向配置した壁体間に跨って別の間仕切り壁の壁体を配置して、略コ字状に連続した横溝を形成し、その略コ字状の横溝に棚板の両側端部及び後端部を差し込むことで、棚板を三方向から支持することができ、これにより棚板をより一層安定して取り付けることができる。
【００１５】
さらにまた、間仕切り壁における壁体の正面側表面及び背面表面側に、複数の横溝を同じ位置に形成することで、間仕切り壁の正面側及び背面側の双方を利用して収納部を構成して、様々なバリエーションの収納形態を実現することができ、使用性の向上を図ることができる。さらに、間仕切り壁の正面側及び背面側の意匠性が統一されて、見栄えをより一層良好にすることができる。
【００１６】
また、間仕切り壁を、上下の中央軸部材を中心として水平方向に回転可能とした第１回転姿勢と、上下の端部軸部材を中心として水平方向に回転可能とした第２回転姿勢とに切換可能とすることで、間仕切り壁を第１回転姿勢として天井レール及び床レールを挟んだ両空間に跨るように収納部を構成したり、間仕切り壁を第２回転姿勢として天井レールと床レールを挟んだ一方の空間に張り出すように収納部を構成することができる。これによって、様々なバリエーションの収容形態を実現することができ、使用性の向上を図ることができる。
【００１７】
さらに、間仕切り壁の壁体の下端に、キャスターを設けることで、間仕切り壁の走行及び回転を円滑に行うことができ、操作性の向上を図ることができる。また、間仕切り状態及び収納利用状態において、これらキャスターによって壁体の荷重を分散させてバランス良く支えることができるので、安定性の向上を図ることができる。
【発明を実施するための最良の形態】
【００１８】
（第１実施形態）
この発明の第１実施形態に係る可動間仕切り装置は、図１に示すように、室内空間１の天井面２に設けられた天井レール３と、室内空間１の床面４に設けられた床レール５と、これら天井レール３と床レール５との間に跨って取り付けられ、これら天井レール３及び床レール５に沿って走行可能且つ水平方向に回転可能とされた複数の間仕切り壁６・・とを備えている。
【００１９】
間仕切り壁６は、図１に示すように、略長方形状の壁体７と、その壁体７の上端略中央に設けられて、天井レール３に係合する上側の中央軸部材１１と、この上側の中央軸部材１１に対応して壁体７の下端略中央に設けられて、床レール５に係合する下側の中央軸部材１２と、壁体７の上端両端部に設けられた突っ張り固定部材２１、２１と、壁体７の下端に設けられた複数のキャスター８・・とを備えている。
【００２０】
壁体７は、方形枠状のフレームを石膏ボード等からなる一対の表面材３１、３１によって挟み込んで構成されている。そして、壁体７の正面側表面及び背面側表面すなわち表面材３１、３１には、上下方向に間隔をあけて複数の横溝３２・・が夫々形成されている。これら横溝３２・・は、断面略コ字状で、壁体７の幅方向全長に亘って互いに平行且つ等間隔に形成されている。また、背面側表面の横溝３２・・が正面側表面の横溝３２・・の真裏に配置されており、これによって間仕切り壁６の正面側及び背面側の形態が略同じになっている。
【００２１】
上下の中央軸部材１１、１２は、ピン状に形成されており、それらは天井レール３及び床レール５に沿ってスライド可能とされ、また図２に示すように、間仕切り壁６の回転中心となる。なお、上側の中央軸部材１１の上端部に図示しない略直方体状のブロック体を設けて、このブロック体を天井レール３にスライド可能に係合させることで、間仕切り壁６の走行時や回転時のガタツキを防止するようにしても良い。
【００２２】
突っ張り固定部材２１は、図１及び図３に示すように、壁体７の上端端部に上下動可能に取り付けられた軸部材２２と、この軸部材２２の上端に取り付けられた例えばゴム製の当接部材２３とで構成されている。この突っ張り固定部材２１は、壁体７の表面材３１に設けられた操作孔３３に図示しないドライバー等を差し込んで回転させることにより、軸部材２２が上下動して、当接部材２３が天井面２に対して当接離間するようになっている。
【００２３】
突っ張り固定部材２１の当接部材２３が天井面２に当接しているときは、図１及び図４に示すように、間仕切り壁６を天井面２と床面４に跨って突っ張り固定することができ、突っ張り固定部材２１の当接部材２３が天井面２から離間しているときは、間仕切り壁６は走行可能且つ回転可能になる。
【００２４】
キャスター８・・としては、図１に示すように、例えば物流の現場等で使用されるような高精度なボールキャスターが用いられている。キャスター８・・は、例えば合計６個用意されており、下側の中央軸部材１２を挟むようにして左右３個ずつ等間隔になるように配置されている。従って、これら６個のキャスター８・・によって、壁体７の荷重を分散させてバランス良く支えることができる。
【００２５】
そして、これらキャスター８・・は、図５に示すように、壁体７の天井レール３及び床レール５に沿った回転位置において床レール５上を走行可能とされ、図６に示すように、壁体７の天井レール３及び床レール５からずれた回転位置において床面４上を走行可能とされており、間仕切り壁６のスムーズで安定した走行及び回転を可能にしている。
【００２６】
上記の可動間仕切り装置において、複数の間仕切り壁６・・は、それら壁体７・・が天井レール３及び床レール５に沿うように並設されて室内空間１を間仕切る間仕切り状態と、少なくとも２枚の間仕切り壁６、６の壁体７、７が、天井レール３及び床レール５からずれるようにして対向配置されて、それら壁体７、７間を収納部９とした収納利用状態とに切換可能とされている。
【００２７】
具体的に、間仕切り状態においては、図７に示すように、複数の間仕切り壁６・・によって、室内空間１が天井レール３及び床レール５を挟んだ２つの空間１ａ、１ｂに区画されている。そして、間仕切り壁６・・の正面側及び背面側において、隣接する壁体７・・の横溝３２・・が略一直線上に横方向に連続して規則的な縞模様を形成し、これにより、見栄えを良好に維持している。なお、突っ張り固定部材２１、２１によって、間仕切り壁６・・を天井レール３と床レール５に跨ってしっかりと固定することで、間仕切り状態を安定して維持することができる。
【００２８】
一方、収納利用状態の具体例を図８に基づいて説明すると、複数の間仕切り壁６・・を上下の中央軸部材１１、１２を中心として回転させて、壁体７・・を天井レール３と床レール５に対して直交するように対向配置させることで、天井レール３及び床レール５を挟んだ２つの空間１ａ、１ｂに跨る一対の収納部９、９が隣接して構成されている。そして、これら対向配置された壁体７・・の中央部間に跨るようにして、天井レール３と床レール５に沿った別の間仕切り壁６、６の壁体７、７が配置されて、これら壁体７、７によって、各収納部９が一方の空間１ａに開放する収納空間と他方の空間１ｂに開放する収納空間とに区画されている。すなわち、対向配置された壁体７・・を側板とし、それら壁体７・・間の壁体７、７を背板とした相対する２つの収納空間を有する収納部９、９が隣接して構成されている。
【００２９】
各収納部９の収納空間においては、側板及び背板とした壁体７・・の横溝３２・・が略コ字状に連続され、図９に示すように、水平に配された略長方形状の棚板１０の両側端部及び後端部をその略全長に亘って差し込むようにして、各収納部９、９の収納空間に棚板１０が取付可能とされている。この棚板１０の取付状態においては、棚板１０を三方向から支持することができ、棚板１０を安定して取り付けることができる。しかも、このように棚板１０を取り付けることで、収納部９、９を構成する間仕切り壁６・・の回転やガタツキも防止される。なお、突っ張り固定部材２１、２１によって間仕切り壁６・・を天井レール３と床レール５に跨ってしっかりと固定することで、収納利用状態を安定して維持することができる。
【００３０】
収納利用状態としては、図８に示す状態だけに限定されるものではなく、例えば収納部９を１つのみ構成したり、３つ以上隣接して構成しても良い。また、図８に示す状態において、背板となる壁体７、７を配置せずに、各収納部９の収納空間を連通させるように構成しても良い。このとき、棚板１０の取り付けに際しては、対向配置されて壁体７、７の横溝３２、３２に対して、棚板１０の両側端部をその略全長に亘って差し込むことになるが、この場合でも棚板１０の取付強度を良好に維持して安定した取り付けが可能となる。
【００３１】
（第２実施形態）
第２実施形態に係る可動間仕切り装置の間仕切り壁６においては、図１０に示すように、その壁体７の上端略中央に設けられて、天井レール３に対して係脱可能とされた上側の中央軸部材１１と、この上側の中央軸部材１１に対応して壁体７の下端略中央に設けられて、床レール５に対して係脱可能とされた下側の中央軸部材１２と、壁体７の上端一端部に設けられて、天井レール３に対して係脱可能とされた上側の端部軸部材１３と、この上側の端部軸部材１３に対応して壁体７の下端一端部に設けられて、床レール５に対して係脱可能とされた下側の端部軸部材１４とを備えている。なお、上下の中央軸部材１１、１２及び上下の端部軸部材１３、１４は、夫々がフランス落し機構等によって天井レール３及び床レール５に係脱可能とされているが、クランク機構やギヤ機構等を介して上下の軸部材同士を連動させるようにしても良い。また、壁体７の上端他端部には、突っ張り固定部材２１が設けられ、壁体７の下端には、複数のキャスター８・・が設けられている。
【００３２】
そして、間仕切り壁６は、図１１に示すように、上下の中央軸部材１１、１２を天井レール３と床レール５に係合するとともに、上下の端部軸部材１３、１４を天井レール３と床レール５から抜き出し、上下の中央軸部材１１、１２を中心として水平方向に回転可能とした第１回転姿勢と、上下の中央軸部材１１、１２を天井レール３と床レール５から抜き出すとともに、上下の端部軸部材１３、１４を天井レール３と床レール５に係合して、上下の端部軸部材１３、１４を中心として水平方向に回転可能とした第２回転姿勢とに切換可能とされている。
【００３３】
上記の可動間仕切り装置においては、第１実施形態の可動間仕切り装置と同様に、複数の間仕切り壁６・・が間仕切り状態と収納利用状態とに切換可能となっている。そして、収納利用状態においては、間仕切り壁６・・を第１回転姿勢とすることによって、上述した図８に示すように、天井レール３及び床レール５を挟んだ両空間１ａ、１ｂに跨るように収納部９、９を構成するだけでなく、間仕切り壁６・・を第２回転姿勢とすることによって、図１２に示すように、一方の空間１ｂにのみ張り出すように収納部９、９を構成することができるようになっている。
【００３４】
図１２に示す収納利用状態においては、複数の間仕切り壁６・・を上下の端部軸部材１３、１４を中心として回転させて、それらの壁体７・・を天井レール３と床レール５に対して直交するように対向配置させることで、一方の空間１ｂにのみ張り出す一対の収納部９、９が隣接して構成されている。そして、これら対向配置された壁体７・・の一端部間に跨るようにして、天井レール３及び床レール５に沿った別の間仕切り壁６、６の壁体７、７が配置されている。すなわち、対向配置された壁体７・・を側板とし、それら壁体７・・間の壁体７、７を背板とした一方の空間１ｂに開放する収納空間を有する収納部９、９が隣接して構成されている。各収納部９の収納空間においては、側板及び背板とした壁体７・・の横溝３２・・が略コ字状に連続され、この略コ字状の横溝３２・・に水平に配された棚板１０の両側端部及び後端部を差し込むようにしている。なお、収納利用状態としては、図８や図１２に示す状態だけに限定されるものではなく、例えば図８や図１２に示す状態において背板となる壁体７、７を配置せずに、各収納部９の収納空間を２つの空間１ａ、１ｂに開放させるように構成しても良い。また、図８に示す状態と図１２に示す状態を適宜組合わせるようにしても良い。
【００３５】
このように間仕切り壁６・・を第１回転姿勢としたり、第２回転姿勢とすることで、収納部９・・を柔軟に変化させることができ、様々なバリエーションの収納形態を実現することができる。その他の構成及び作用効果は、上記第１実施形態と同様であり、第１実施形態と同様の機能を有する部材については同符号を付してある。
【００３６】
この発明は、上記実施形態に限定されるものではなく、この発明の範囲内で多くの変更及び修正を加え得ることは勿論である。
【図面の簡単な説明】
【００３７】
【図１】この発明の第１実施形態に係る可動間仕切り装置における間仕切り壁の正面図である。
【図２】間仕切り壁の回転動作を示す図である。
【図３】突っ張り固定部材の斜視図である。
【図４】壁体が天井レール及び床レールからずれた回転位置にあるときの間仕切り壁の上端部付近を示す図である。
【図５】間仕切り壁の下端部中央付近を示す図である。
【図６】壁体が天井レール及び床レールからずれた回転位置にあるときの間仕切り壁の下端部中央付近を示す図である。
【図７】間仕切り壁の間仕切り状態を示す斜視図である。
【図８】同じく収納利用状態を示す斜視図である。
【図９】壁体の横溝に棚板の端部を差し込んだ状態を示す断面図である。
【図１０】第２実施形態に係る可動間仕切り装置における間仕切り壁の正面図である。
【図１１】間仕切り壁の回転動作を示す図である。
【図１２】間仕切り壁の収納利用状態を示す斜視図である。
【符号の説明】
【００３８】
１・・室内空間、２・・天井面、３・・天井レール、４・・床面、５・・床レール、６・・間仕切り壁、７・・壁体、８・・キャスター、９・・収納部、１０・・棚板、１１・・上側の中央軸部材、１２・・下側の中央軸部材、１３・・上側の端部軸部材、１４・・下側の端部軸部材、３２・・横溝
【図１】
2009030276.tif 000003
【図２】
2009030276.tif 000004
【図３】
2009030276.tif 000005
【図４】
2009030276.tif 000006
【図５】
2009030276.tif 000007
【図６】
2009030276.tif 000008
【図７】
2009030276.tif 000009
【図８】
2009030276.tif 000010
【図９】
2009030276.tif 000011
【図１０】
2009030276.tif 000012
【図１１】
2009030276.tif 000013
【図１２】
2009030276.tif 000014